(57)【要約】【構成】  医療スタッフのＩＤユニット４２を監視する監視カメラ１８を設け、保管庫１２を開けようとしているスタッフのＩＤを求めて、管理装置２２により認証すると、保管庫１２の棚２８を解錠する。保管庫１２にＲＦＩＤリーダ３４を設けて、棚２８を引き出した際と閉じた際とに、棚２８内の物品のＲＦＩＤを読み取り、引き出した際のＩＤリストと閉じた際のＩＤリストとの差分から出し入れされた物品を特定する。  医療スタッフが保管庫から医薬品や医療器具を取り出すと、誰がどの医薬品などを取り出したかを自動的に記録でき、かつ権限の無い者が医薬品を取り出すことを防止できる。
2007058048.tif 000002
【特許請求の範囲】
【請求項１】
物品を複数個収納する引き出しを備えた保管システムにおいて、
前記引き出しを開け閉めする作業者のＩＤを読み取るための手段と、
少なくとも前記引き出しを閉じることに応じて、引き出し内の物品のＩＤを読み取るための手段と、
引き出しを閉じた際に、前回読み取った物品のＩＤのリストと、今回引き出しを閉じる際に読み取った物品のＩＤのリストとの差分から、出し入れされた物品のＩＤを求めるための手段とを設けたことを特徴とする保管システム。
【請求項２】
前記物品のＩＤの読み取り手段を、引き出しを引き出す際と閉じる際とに、引き出し内の物品のＩＤを読み取るようにしたことを特徴とする、請求項１の保管システム。  
【請求項３】
前記引き出しを施錠するロックを設けると共に、読み取った作業者のＩＤに基づいて、該ロックを解除するようにしたことを特徴とする、請求項１の保管システム。
【請求項４】
回収物品のＩＤを読み取るための手段を備えた回収ステーションを設けて、回収物品のＩＤを前記引き出しから出し入れされた物品のＩＤと照合して、未回収の物品のＩＤを抽出するための手段とを設けたことを特徴とする、請求項１の保管システム。
【請求項５】
引き出しに収納された保管物品のＩＤを管理する方法において、
引き出し付近に設けられた作業者のＩＤを読み取る第１のＩＤリーダと、引き出しを開けた状態で引き出し内の物品のＩＤを読み取る第２のＩＤリーダと、第２のＩＤリーダで読み取った物品のＩＤのリストを記憶するための手段と、記憶したＩＤのリストと今回第２のＩＤリーダで読み取った物品のＩＤのリストとの差分を求めるための手段とを設け、
第１のＩＤリーダで引き出しを開け閉めする作業者のＩＤを求め、
少なくとも前記引き出しを閉じることに応じて、第２のＩＤリーダで引き出し内の物品のＩＤを読み取り、
引き出しを閉じた際に、前回読み取った物品のＩＤのリストと今回引き出しを閉じる際に読み取った物品のＩＤのリストとの差分から、出し入れされた物品のＩＤを求める、ことを特徴とする保管物品のＩＤ管理方法。
【発明の詳細な説明】
【技術分野】
【０００１】
この発明は、医薬品や医療器具、ファイルなどを管理する保管システムに関する。
【背景技術】
【０００２】
医薬品や医療器具などの管理では、携帯情報端末を用いて物品のＩＤを読み取って記憶すると共に、物品を取り出したスタッフを携帯情報端末のＩＤを介して特定することが行われている。しかしながらこの手法は救急治療などのように一刻を争う場合には無理があり、携帯情報端末で物品のＩＤを一々読み取るのは現実的ではない。その結果、救急治療などでは投薬ミスの可能性が残り、患者の側からするとどの医薬品が用いられたかの記録が不明確になる。医薬品や医療器具の管理の側からすると、誰がどの医薬品や医療器具を取り出したかの記録が不明確になり、医薬品や医療器具の在庫管理や使用状況の管理が不完全になる。  
【発明の開示】
【発明が解決しようとする課題】
【０００３】
この発明の課題は、誰が何を出し入れしたのかを自動的に管理できる保管システムを提供することにある。
この発明での追加の課題は、作業者が今回出し入れした物品のみを、より確実に検出できるようにすることにある。
この発明での追加の課題は、権限の無い作業者が物品を出し入れすることを防止することにある。
この発明での追加の課題は、保管庫から取り出されたままで未回収の物品を容易に特定できるようにすることにある。
【課題を解決するための手段】
【０００４】
この発明は、物品を複数個収納する引き出しを備えた保管システムにおいて、前記引き出しを開け閉めする作業者のＩＤを読み取るための手段と、少なくとも前記引き出しを閉じることに応じて、引き出し内の物品のＩＤを読み取るための手段と、引き出しを閉じた際に、前回読み取った物品のＩＤのリストと、今回引き出しを閉じる際に読み取った物品のＩＤのリストとの差分から、出し入れされた物品のＩＤを求めるための手段とを設けたことを特徴とする。【０００５】
またこの発明は、引き出しに収納された保管物品のＩＤを管理する方法において、引き出し付近に設けられた作業者のＩＤを読み取る第１のＩＤリーダと、引き出しを開けた状態で引き出し内の物品のＩＤを読み取る第２のＩＤリーダと、第２のＩＤリーダで読み取った物品のＩＤのリストを記憶するための手段と、記憶したＩＤのリストと今回第２のＩＤリーダで読み取った物品のＩＤのリストとの差分を求めるための手段とを設け、第１のＩＤリーダで引き出しを開け閉めする作業者のＩＤを求め、少なくとも前記引き出しを閉じることに応じて、第２のＩＤリーダで引き出し内の物品のＩＤを読み取り、引き出しを閉じた際に、前回読み取った物品のＩＤのリストと今回引き出しを閉じる際に読み取った物品のＩＤのリストとの差分から、出し入れされた物品のＩＤを求める、ことを特徴とする。なおこの明細書での保管システムに関する記載は、保管物品のＩＤ管理方法にも当てはまる。【０００６】
物品のＩＤの読み取りは、例えば引き出しが閉じられる都度に行い、前回引き出しを閉じた際と今回引き出しを閉じる際との、物品のＩＤのリストの差分を、出し入れ物品のＩＤのリストとしても良い。あるいはまた、引き出しが閉じられる際にＩＤを読み取ると共に、引き出しが閉じられている間も、所定の時間間隔でＩＤを読み取って記憶し、次に引き出しを開いて閉じた際に、直前に測定した物品のＩＤのリストとの差分を求めても良い。
しかし好ましくは、前記物品のＩＤの読み取り手段を、引き出しを引き出す際と閉じる際とに、引き出し内の物品のＩＤを読み取る。
好ましくは、前記引き出しを施錠するロックを設けると共に、読み取った作業者のＩＤに基づいて、該ロックを解除する。
また好ましくは、回収物品のＩＤを読み取るための手段を備えた回収ステーションを設けて、回収物品のＩＤを前記引き出しから出し入れされた物品のＩＤと照合して、未回収の物品のＩＤを抽出するための手段とを設ける。
【発明の効果】
【０００７】
この発明では、引き出しから物品を取り出した作業者をそのＩＤで特定し、少なくとも引き出しが閉じられることに応じて、引き出し内の物品のＩＤを読み取る。そして前回読み取った物品のＩＤのリストと、今回引き出しを閉じる際に読み取った物品のＩＤのリストの差分を求めると、今回出し入れした物品のＩＤが判明する。このため自動的に誰が何を出し入れしたのかを管理でき、物品をＩＤリーダに通してＩＤを読み取らせる手間を省略できる。また作業者のＩＤを入力したり、作業者と１：１に紐付けられた端末を携帯したりする必要がない。【０００８】
ここで、引き出しを引き出す際の物品のＩＤのリストと、引き出しを閉じる際の物品のＩＤのリストとの差分を用いると、今回の引き出しの開け閉めで出し入れされた物品のＩＤのみを確実に求めることができる。特に引き出しを引き出す際と閉じる際とに、引き出しの開閉動作に応じて引き出し内を走査するように、物品のＩＤを読み取ると、より確実に物品のＩＤを読み取ることができる。【０００９】
読み取った作業者のＩＤに基づいて引き出しのロックを解除すると、権限の無い者が引き出し内の物品を出し入れすることを防止できる。
また回収ステーションに回収された物品のＩＤと引き出しから引き出された物品のＩＤとを照合すると、引き出しから取り出されたままで未回収の物品を特定できる。従って引き出しから引き出された物品のその後の状態を容易に管理できる。
【図面の簡単な説明】
【００１０】
【図１】実施例の保管システムのレイアウトを示す図
【図２】実施例での保管庫からのＲＦＩＤ付きの物品の出し入れを模式的に示す図
【図３】実施例での治療室の物品管理アルゴリズムを示すフローチャート
【図４】実施例での保管庫の物品管理アルゴリズムを示すフローチャート
【図５】実施例で用いるワゴンの正面図
【符号の説明】
【００１１】
２  保管システム    ４  治療室    ６  保管室    ８  ベッド
１０  治療エリア    １２  保管庫    １４  治療室端末
１６  回収ボックス    １８  監視カメラ    ２０  スピーカ
２２  管理装置    ２４  在庫ファイル    ２６  ログファイル
２７  未回収品ファイル    ２８  棚    ３０，３１  物品
３２  ＲＦＩＤ    ３４，３６  ＲＦＩＤリーダ
３８  保管庫ユニット    ４０  帽子    ４２  ＩＤユニット
５０  ワゴン    ５２  棚    ５４  ＲＦＩＤリーダ
【発明を実施するための最良の形態】
【００１２】
以下に本発明を実施するための最適実施例を示す。
【実施例】
【００１３】
図１〜図５に、実施例の保管システム２を示す。各図において、４は治療室で、６は保管室で、８は患者のベッドであり、１０は治療エリアで、例えばエアカーテンなどで仕切られている。１２は保管庫で、データ上は保管庫毎の番号が付与され、保管庫１２にはそれぞれ複数の棚２８が設けられ、各棚２８には保管庫１２内の棚番号が付与されている。【００１４】
１４は治療室端末で、ここでは治療エリア１０の内外に複数の端末１４，１４を示すが、端末は１台でも良く、かついずれかの治療室端末１４が治療室４の管理装置を兼ねている。１６は回収ボックスで、使用済みの医薬品や医療器具などを回収するためのボックスで、ボックス状のものに限らず、保管庫状のものなどでもよく、形状は任意である。１８は監視カメラで、保管庫１２を出し入れする医療スタッフのＩＤユニット４２を読み取り、これによって医療スタッフのＩＤを読み取ると共に、その位置と、保管庫１２側を向いているのか他の側を向いているのかの向きを検出する。２０はスピーカで、誤った医薬品や医療品を取り出した場合にその旨を案内し、危険薬などを取り出すとアラームする。【００１５】
２２は保管システム２全体の管理装置で、保管庫１２での在庫ファイル２４と、保管庫１２からの物品の出し入れ記録のログファイル２６並びに保管庫１２から取り出されて回収ボックス１６に未回収の物品の未回収品ファイル２７を備えている。在庫ファイル２４には在庫の医薬品や医療器具の在庫データが、物品のＩＤと保管システム２に受け入れられた時刻、及び保管庫番号と棚番号と共に記録されている。ログファイル２６には保管庫１２からの物品の出し入れの記録が、出し入れされた物品のＩＤ、保管庫１２の番号や棚の番号、出し入れを行った医療スタッフのＩＤ、出し入れの時刻と共に記録されている。未回収品ファイル２７には、保管庫１２から取り出されて回収ボックス１６に未回収の物品のＩＤがリストされている。【００１６】
保管庫１２には複数の棚２８が設けられ、それぞれ物品３０を複数個収納でき、各物品３０にはＲＦＩＤ３２などのＩＤが取り付けられている。なおＲＦＩＤ３２に代えて、２次元バーコードなどのＩＤを用いても良い。例えば棚２８毎にあるいは保管庫１２毎に、ＲＦＩＤリーダ３４などのＩＤリーダが設けられ、棚２８を引き出す際に、引き出された範囲内の棚２８の物品３０のＲＦＩＤ３２を読み取り、棚２８を閉じる際にも同様に物品３０のＩＤ３２を読み取る。棚２８を引き出す際の物品のＩＤリストと閉じる際のＩＤリストとの差分を保管庫ユニット３８で求めると、棚２８の引き出し動作により出し入れされた物品のＩＤリストが求まる。なおＲＦＩＤリーダ３４は例えば棚２８の上側に沿ってプレート状もしくは線状のアンテナを備えて、その下部を物品３０が通過する際に、ＲＦＩＤ３２を読み取る。またＲＦＩＤリーダ３４をＲＦＩＤのライタを兼用させると、棚２８からの出し入れのデータをＲＦＩＤ３２に書き込むことができる。【００１７】
回収ボックス１６には例えばその入口側にリング状のアンテナを備えたＲＦＩＤリーダ３６を設けて、物品３１が回収される際にそのＲＦＩＤ３２を読み取る。なおリーダ３４，３６をライタ兼用として、例えば初めて棚２８に収納された際に、収納者のＩＤや棚２８の番号などを書き込んでも良い。またＲＦＩＤリーダ３６で物品３１を回収した際に、回収済みとのデータをＲＦＩＤ３２に書き込んでも良い。【００１８】
医療スタッフは、その帽子４０の上部などにＩＤユニット４２を取り付けている。ＩＤユニット４２は例えば一対のＬＥＤとその電源や駆動回路から成り、一方のＬＥＤが点滅することによりＩＤを可視光信号として送出する。ＬＥＤは一対あるので、帽子４０を医療スタッフが所定の向きに被ると、ＬＥＤの向きにより医療スタッフの向きが分かり、保管庫１２側を向いているのか、保管庫１２の横を単に通り過ぎただけなのかなどを識別できる。さらに監視カメラ１８はＩＤユニット４２の位置を検出できるので、どの医療スタッフが棚２８を開閉したのかを確実に検出できる。【００１９】
監視カメラ１８がＩＤユニット４２を検出すると、どの保管庫１２を向いているのかと共にスタッフのＩＤを管理装置２２へ送出する。管理装置２２は治療室端末１４から送出されてきたスタッフのＩＤや必要薬、危険薬などのデータに基づき、スタッフを認証して解錠信号を保管庫１２に送出する。これにより棚２８に対する図示しないロックが解除される。なお保管庫１２によって収納物品の種類を変え、スタッフのＩＤごとにアクセスできる保管庫１２の種類を限定しても良い。ロックが解除されると、あるいはスタッフのＩＤを認証すると、ＲＦＩＤリーダ３２を起動する。またＲＦＩＤリーダは太陽電池等の電池駆動とするが、商用電源で駆動しても良い。【００２０】
そして医療スタッフが棚２８を引き出す際と閉じる際とに、ＲＦＩＤリーダ３４により棚２８内を走査して、内部の物品３０のＩＤ３２を読み取り、これらのＩＤのリストの差分を保管庫ユニット３８で求めて、管理装置２２へ送出する。管理装置２２は医療スタッフが棚２８から取り出した医薬品や医療器具のＩＤを治療室端末１４へ送出して、治療室端末１４に表示させる。なお緊急治療の現場では、棚２８の開閉が乱暴で、ＲＦＩＤリーダ３４による読み取りが間に合わない可能性がある。そこで好ましくは図示しない棚の開閉の減速手段を棚２８側に設けて、棚の開閉速度を制限し、棚２８の開閉に同期してＲＦＩＤリーダ３４が内部の物品のＩＤを走査できるようにする。【００２１】
回収ボックス１６のＲＦＩＤリーダ３６で読み取った廃棄物品（回収物品）のＩＤを管理装置２２へ送出し、未回収品ファイル２７から該当するＩＤを削除すると共に、ログファイルへの該当するＩＤに対し、回収済みのデータをセットする。【００２２】
図３に、治療室での物品の管理アルゴリズムを示す。例えばスタッフのＩＤを登録し、患者名や治療内容を登録する。治療内容に対して図示しないデータベースより必要薬品や危険薬品を読み出して登録し、同様に必要な医療器具と使用してはならない医療器具を登録する。必要薬品は医療内容に必要な薬品であり、危険薬品はこの医療内容に対して用いてはならない薬品である。なお危険薬品を登録する代わりに、管理装置側で危険な薬品を危険薬品として登録しておき、医療内容に必要な範囲で危険薬品から必要薬品をその都度解除しても良い。次にスタッフのＩＤや必要薬、危険薬などを保管システムの管理装置へ送出し、逆に管理装置から取り出した物品のＩＤを入力されると、物品の取り出し状況を端末に表示する。【００２３】
図４に示すように保管庫の側では、監視カメラによりどの保管庫に向き合ってどのスタッフがいるかを認識し、スタッフのＩＤリストと照合して物品を出し入れする権限があるかどうかを認証する。権限がある場合保管庫のロックを解除し、棚を引き出す際と閉じる際とに棚内の物品のＩＤリストを作成して、その差分を入出庫データとして管理装置へ送出する。管理装置はこれによって在庫ファイルを変更すると共に、出し入れ物品のＩＤやスタッフのＩＤ、出し入れ時刻、棚番号などをログファイルと未回収品ファイルとに記録する。【００２４】
取り出された医薬品や医療器具が必要薬として、その医療内容もしくは症状に対して必要なものとして登録されているかどうかをチェックし、登録されていない場合で危険薬でない場合にはその旨をガイダンスし、危険薬の場合にはアラームする。危険薬を管理するのは、その医療内容に対して使ってはならない医薬品が使用されることを防止すると共に、向精神薬などの危険な医薬品が不正に持ち出されることを防止するためである。必要薬かどうかをチェックすることにより投薬ミスを防止し、棚から取り出された医薬品や医療器具のＩＤを治療室の端末へ通知し、例えば治療室外の保管庫からいつ必要薬が到着するか予測できるようにする。【００２５】
回収ボックスで読み取った物品のＩＤを未回収品ファイルから削除し、ログファイルでの該当物品のＩＤに回収済みのデータをセットする。これによって棚から引き出されて未回収の物品を抽出でき、薬品の不正使用や不正な持ち出しを防止し、棚から引き出した後の医薬品の状況を管理できる。また棚から引き出された後長期間経過して、使用に適さなくなった医薬品が使用されることを防止できる。【００２６】
実施例では物品を保管庫１２に保管する例を示したが、図５のワゴン５０などを用いても良く、５２はその棚で、５４はＲＦＩＤリーダで、棚５２を開閉する際に内部の物品のＲＦＩＤを読み取る。また実施例では作業者のＩＤとして可視光ＩＤを用いたが、ＲＦＩＤなどの他のＩＤでも良く、その場合はＩＤの携帯位置は任意である。【００２７】
実施例では以下の効果が得られる。
(1)  どの医療スタッフがどの棚からどの物品をいつ出し入れしたかを、確実にかつ自動的に管理できる。
(2)  棚を引き出す際と閉じる際との物品のＩＤの差分を用いるので、棚を開け閉めして引き出した物品のＩＤのみを確実に検出できる。なおプレート状やワイヤ状などのアンテナを備えたＲＦＩＤを用いると、棚を開け閉めする際のＩＤの読み取りがより容易になる。
(3)  権限のない医療スタッフが保管庫にアクセスすることを防止できる。
(4)  引き出された物品と回収された物品との差分から、未使用の物品や行方不明の物品を特定できる。【００２８】
実施例では棚の開閉時に物品のＩＤを読み取ったが、例えば棚を閉じ終わった後に、棚内の物品のＩＤを読み取っても良い。この場合は、ＲＦＩＤリーダを保管庫１２の外側ではなく内部に設ける。棚を閉じ終わった後に物品のＩＤを読み取るのは、棚の開閉速度が速すぎて、棚の開け閉めに追随してＲＦＩＤリーダがＩＤを読み取ることが難しく、しかも棚の開閉速度を制限する手段を設けない場合への対策である。この場合、前回棚を閉じた際と今回との、物品のＩＤのリストの差分で出し入れされた物品を特定する。しかしこのようにすると、前回と今回との間に、仮にＲＦＩＤリーダの電源が落とされた状態で棚が開け閉めされると、出し入れされた物品を正しく特定できなくなる。また棚を閉じた状態で定期的に内部の物品のＩＤを読み取ると、ＲＦＩＤリーダを電池で駆動できなくなり、配線が必要になる。【００２９】
実施例では医薬品や医療器具の管理を例としたが、これ以外に書類ファイルの管理なども同様に行うことができる。この場合例えば複数の棚を備えた書類の保管庫を対象とし、ファイル毎にＲＦＩＤを設けて、棚を開け閉めする際にファイルのＩＤを読み取ってその差分により出し入れされたファイルを管理すると共に、棚を開け閉めした職員のＩＤを読み取って職員を特定する。
【図１】
2007058048.tif 000003
【図２】
2007058048.tif 000004
【図３】
2007058048.tif 000005
【図４】
2007058048.tif 000006
【図５】
2007058048.tif 000007
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
物品を複数個収納する引き出しを備えた保管システムにおいて、
前記引き出しを開け閉めする作業者のＩＤを読み取るための手段と、
引き出しを引き出す動作と閉じる動作の各々に同期して、引き出しを開閉する範囲内で物品のＩＤを走査することにより、引き出し内の物品のＩＤを読み取るための手段と、
引き出しを引き出す際に読み取った物品のＩＤのリストと、引き出しを閉じる際に読み取った物品のＩＤのリストとの差分から、出し入れされた物品のＩＤを求めるための手段とを設けたことを特徴とする保管システム。
【請求項２】
（削除）
【請求項３】
前記引き出しを施錠するロックを設けると共に、読み取った作業者のＩＤに基づいて、該ロックを解除するようにしたことを特徴とする、請求項１の保管システム。
【請求項４】
回収物品のＩＤを読み取るための手段を備えた回収ステーションを設けて、回収物品のＩＤを前記引き出しから出し入れされた物品のＩＤと照合して、未回収の物品のＩＤを抽出するための手段とを設けたことを特徴とする、請求項１の保管システム。
【請求項５】
引き出しに収納された保管物品のＩＤを管理する方法において、
引き出し付近に設けられた作業者のＩＤを読み取る第１のＩＤリーダと、引き出しを開けた状態で引き出し内の物品のＩＤを読み取る第２のＩＤリーダとを設け、
第１のＩＤリーダで引き出しを開け閉めする作業者のＩＤを求め、
第２のＩＤリーダで、引き出しを引き出す動作と閉じる動作の各々に同期して、引き出しを開閉する範囲内で、引き出し内の物品のＩＤを走査することにより、引き出し内の物品のＩＤを読み取り、
引き出しを引き出す際に読み取った物品のＩＤのリストと、引き出しを閉じる際に読み取った物品のＩＤのリストとの差分から、出し入れされた物品のＩＤを求めることを特徴とする保管物品のＩＤ管理方法。
【請求項６】
前記物品のＩＤはＲＦＩＤで、
前記物品のＩＤの読み取り手段はＲＦＩＤリーダで、かつ該ＲＦＩＤリーダは引き出しの上側に沿ったプレート状もしくは線状のアンテナを備え、該アンテナの下部を物品が通過する際に、前記アンテナで物品のＩＤを読み取るようにしたことを特徴とする、請求項１の保管システム。
【請求項７】
（削除）
【請求項８】
前記物品のＩＤはＲＦＩＤで、
前記第２のＩＤリーダはＲＦＩＤリーダで、かつ該ＲＦＩＤリーダは引き出しの上側に沿ったプレート状もしくは線状のアンテナを備え、該アンテナの下部を物品が通過する際に、前記アンテナで物品のＩＤを読み取ることを特徴とする、請求項５の保管物品のＩＤ管理方法。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
物品を複数個収納する引き出しを備えた保管システムにおいて、
前記引き出しを開け閉めする作業者のＩＤを読み取るための手段と、
引き出しを引き出す動作と閉じる動作の各々に同期して、かつ引き出しを開閉する範囲内の物品が、引き出しの開閉により、ＲＦＩＤリーダの近傍を通過する際に、前記開閉する範囲内の物品のＲＦＩＤを読み取るＲＦＩＤリーダと、
引き出しを引き出す際に読み取った物品のＲＦＩＤのリストと、引き出しを閉じる際に読み取った物品のＲＦＩＤのリストとの差分から、出し入れされた物品のＲＦＩＤを求めるための手段とを設けたことを特徴とする保管システム。
【請求項２】
前記ＲＦＩＤリーダの下部を物品が通過する際に、前記ＲＦＩＤリーダで物品のＲＦＩＤを読み取るようにしたことを特徴とする、請求項１の保管システム。
【請求項３】
前記ＲＦＩＤリーダは引き出しの上側に沿ったプレート状もしくは線状のアンテナを備え、該アンテナの下部を物品が通過する際に、前記アンテナで物品のＲＦＩＤを読み取るようにしたことを特徴とする、請求項２の保管システム。
【請求項４】
前記引き出しを施錠するロックを設けると共に、読み取った作業者のＩＤに基づいて、該ロックを解除するようにしたことを特徴とする、請求項１の保管システム。
【請求項５】
回収物品のＲＦＩＤを読み取るための手段を備えた回収ステーションを設けて、回収物品のＲＦＩＤを前記引き出しから出し入れされた物品のＲＦＩＤと照合して、未回収の物品のＲＦＩＤを抽出するための手段とを設けたことを特徴とする、請求項１の保管システム。
【請求項６】
引き出しに収納された保管物品のＩＤを管理する方法において、
引き出し付近に設けられた作業者のＩＤを読み取る第１のＩＤリーダと、引き出しを開けた状態で引き出し内の物品のＲＦＩＤを読み取るＲＦＩＤリーダとを設け、
第１のＩＤリーダで引き出しを開け閉めする作業者のＩＤを求め、
前記ＲＦＩＤリーダにより、引き出しを引き出す動作と閉じる動作の各々に同期して、かつ引き出しを開閉する範囲内の物品が、引き出しの開閉により、ＲＦＩＤリーダの近傍を通過する際に、前記開閉する範囲内の物品のＲＦＩＤを読み取り、
引き出しを引き出す際に読み取った物品のＲＦＩＤのリストと、引き出しを閉じる際に読み取った物品のＲＦＩＤのリストとの差分から、出し入れされた物品のＲＦＩＤを求めることを特徴とする保管物品のＩＤ管理方法。
【請求項７】
前記ＲＦＩＤリーダの下部を物品が通過する際に、前記ＲＦＩＤリーダで物品のＲＦＩＤを読み取ることを特徴とする、請求項６の保管物品のＩＤ管理方法。
【請求項８】
前記ＲＦＩＤリーダは引き出しの上側に沿ったプレート状もしくは線状のアンテナを備え、該アンテナの下部を物品が通過する際に、前記アンテナで物品のＲＦＩＤを読み取ることを特徴とする、請求項７の保管物品のＩＤ管理方法。
【国際調査報告】
2007058048.tif 000008
2007058048.tif 000009